(57)【要約】【課題】機械的な振動に対する高い減衰性能を有する高分子ナノ複合材料を提供する。【解決手段】  高分子材料からなる母材と、母材に分散した複数のカーボンナノウォールとを含む。【選択図】図１
2011052053.tif 000002
【特許請求の範囲】
【請求項１】
高分子材料からなる母材と、
前記母材に分散した複数のカーボンナノウォール
とを含むことを特徴とする高分子ナノ複合材料。
【発明の詳細な説明】
【技術分野】
【０００１】
本発明は、カーボンナノウォールを含む高分子ナノ複合材料に関する。
【背景技術】
【０００２】
航空機、輸送機、建造物、及び機械等の性能を向上させるために、機械的な振動や雑音を減衰させ、機械的な衝撃を緩和させる材料が必要となる。振動や雑音を減衰させ、衝撃を緩和させるためには、高い減衰性能が要求される。また、機械構造体の部材としては、高い剛性が要求される。
【０００３】
一般に、高分子材料は、減衰性能は高いが、剛性や耐久性に劣る。特に高温では剛性や耐久性の劣化が問題となる。金属材料やセラミックス材料は、広い温度範囲で剛性は高いが、減衰効率は低い。そのため、減衰性能及び剛性等の機械特性に優れた材料として、高分子ナノ複合材料の開発が進められている。
【０００４】
高分子ナノ複合材料は、高分子母材にサイズがナノメートルオーダーの微小物質を分散させた複合材料である。微小物質として、カーボンブラック（ＣＢ）、カーボンファイバ、フラーレン、カーボンナノチューブ（ＣＮＴ）等のナノカーボン材料が用いられる。ＣＮＴを高分子に混合したＣＮＴ高分子ナノ複合材料が報告されている（特許文献１、２、及び非特許文献１参照。）。
【０００５】
航空機のジェットエンジンのファンケースに使用される部材として、機械的強度や剛性が比較的高いファイバ強化プラスチックス（ＦＲＰ）が開発されている。構造体の耐衝撃性を更に高め、且つジェットエンジンの軽量化のためには、更に優れた減衰性能を有する複合材料の開発が必要である。
【先行技術文献】
【特許文献】
【０００６】
【特許文献１】特表２００９−５０６１７０号公報
【特許文献２】特開２００８−２９０９３６号公報
【非特許文献】
【０００７】
【非特許文献１】マリア・エル・アウアド他（Maria L. Auad et al.），"広い温度範囲で高い減衰性能を示す単層カーボンナノチューブ／エポキシエラストマ（Single-wall carbon nanotubes/epoxy elastomers exhibiting high damping capacity in an extended temperature range）"，コンポジット・サイエンス・アンド・テクノロジ（Compos. Sci. Technol.）, ２００９年，第６９巻，ｐｐ．１０８８−１０９２
【発明の概要】
【発明が解決しようとする課題】
【０００８】
本発明の目的は、機械的な振動に対する高い減衰性能を有する高分子ナノ複合材料を提供することにある。
【課題を解決するための手段】
【０００９】
本発明の態様によれば、高分子材料からなる母材と、母材に分散したカーボンナノウォールとを含む高分子ナノ複合材料が提供される。
【発明の効果】
【００１０】
本発明によれば、機械的な振動に対する高い減衰性能を有する高分子ナノ複合材料を提供することが可能となる。
【図面の簡単な説明】
【００１１】
【図１】本発明の実施の形態に係るナノ複合材料の一部の平面図を一例として示す図である。
【図２】本発明の実施の形態の応用例に係るジェットエンジンのファンケースの一例を示す断面図である。
【図３】本発明の実施の形態の応用例に係る減衰シートの一例を示す図である。
【発明を実施するための形態】
【００１２】
以下図面を参照して、本発明の形態について説明する。以下の図面の記載において、同一または類似の部分には同一または類似の符号が付してある。但し、図面は模式的なものであり、厚みと平面寸法との関係、各層の厚みの比率等は現実のものとは異なることに留意すべきである。したがって、具体的な厚みや寸法は以下の説明を参酌して判断すべきものである。また図面相互間においても互いの寸法の関係や比率が異なる部分が含まれていることは勿論である。
【００１３】
又、以下に示す本発明の実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された技術的範囲内において、種々の変更を加えることができる。
【００１４】
本発明の実施の形態に係るナノ複合材料は、図１に示すように、高分子材料からなる母材１０と、母材１０に分散した複数のカーボンナノウォール（ＣＮＷ）１２i-1、１２i、１２i+1、１２i+2・・・とを含む。母材１０として、例えばポリエーテルエーテルケトン（ＰＥＥＫ）、ポリプロピレン（ＰＰ）、ビニールエステル、ポリエステル、アクリル、エポキシ、ポリウレタン、ポリイミド、ポリアミド、フッ素化樹脂等の高分子材料が用いられる。
【００１５】
ＣＮＷ１２i-1、１２i、１２i+1、１２i+2・・・は、例えば四フッ化メタン（ＣＦ4）、六フッ化エタン（Ｃ2Ｆ6）等のパーフルオロカーボン（ＰＦＣ）ガス、あるいはメタン（ＣＨ4）、アセチレン（Ｃ2Ｈ2）等の炭化水素ガスを用いたプラズマＣＶＤ法等によりシリコン（Ｓｉ）、サファイア等の基板上に形成される。ＣＮＷ１２i-1、１２i、１２i+1、１２i+2・・・は、基板表面に配向した壁状あるいは板状のカーボンナノ構造体である。
【００１６】
カーボンナノ構造体としては、ＣＮＷ以外にも、円筒状のカーボンナノチューブ（ＣＮＴ）が知られている。ＣＮＴは、機械特性、熱伝導特性、及び電気伝導特性が高く、金属に代わる配線や電極等の材料として注目されている。また、ＣＮＴを高分子材料に分散させて形成したナノ複合材料においては、機械強度、減衰性能、及び耐熱性が向上することが知られている。
【００１７】
ＣＮＷが板状（面状）のグラフェンシートであるのに対し、ＣＮＴはグラフェンシートを円筒状に丸めたものである。即ち、円筒を１次元の線と看做せば、ＣＮＴは１次元、及びＣＮＷは２次元のナノ構造体と見做すことができる。母材に接触する面は、ＣＮＷではグラフェンシートの表面及び裏面の２面に対して、ＣＮＴでは円筒状のグラフェンシートの外面だけである。したがって、ＣＮＴがＣＮＷと同様の面サイズのグラフェンシートを円筒状に丸めたものとすると、分散させた複数のカーボンナノ構造体全体の体積に対する表面積の比は、ＣＮＷの方がＣＮＴより大きい。このように、実施の形態に係る高分子ナノ複合材料では複数のＣＮＷ１２i-1、１２i、１２i+1、１２i+2・・・を分散物質として用いているので、ＣＮＴを分散物質として用いたナノ複合材料に比べて更に機械的な振動に対する減衰性能を向上させることができる。
【００１８】
（応用例）
実施の形態に係る高分子ナノ複合材料は、航空機、衛星、宇宙船等の部品に応用することができる。例えば、図１に示した高分子ナノ複合材料をジェットエンジンのファンケースに用いることにより。振動減衰及び衝撃緩和を効率よく行うことが可能である。
【００１９】
図２に示すように、ジェットエンジンは、ファン部２０とコアエンジン部３０とを備える。ファン部２０は、ファンディスク２４に取り付けられたファンブレード２２と、ファンブレード２２の下流側に設けられた出口ベーン２８と、ファンブレード２２及び出口ベーン２８を囲むように設けられたファンケース２６とを備える。コアエンジン部３０は、圧縮部、燃焼部、タービン部（図示省略）等を備える。
【００２０】
通常、ファンケースには、積層した複数の繊維強化プラスティックス（ＦＲＰ）が用いられる。ＦＲＰは、ガラス繊維、炭素繊維、セラミックス繊維等の強化繊維を高分子材料に入れた複合材料である。耐衝撃性を向上させるために強化繊維の量を増やすと、ＦＲＰの厚さが増加し、ファンケースの重量が増加する。そのため、ジェットエンジンの小型軽量化が困難となる。
【００２１】
ファンケース２６では、図１に示した複数のＣＮＷを分散させた高分子ナノ複合材料をＦＲＰの高分子材料として用いる。高分子ナノ複合材料を用いることにより、強化繊維の量を低減することができる。その結果、ファンケース２６の重量を低減することができ、ジェットエンジンの小型軽量化が可能となる。また、ファンケース２６に用いるＦＲＰの厚さを薄くできるので、ファンケース２６の製作が容易となり、ジェットエンジンのコストを低減することが可能となる。
【００２２】
また、実施の形態に係る高分子ナノ複合材料は、自動車、飛行機、電車、電子装置、建物、船舶等の防振や防音のための減衰シートとして使用することができる。例えば、図１に示した高分子ナノ複合材料を薄膜に成形し、減衰シートとして用いる。例えば、図３に示すように、自動車のドアパネル４０の内側の表面に高分子ナノ複合材料からなる減衰シート４２を貼付する。減衰シート４２は、走行中のドアパネル４０の振動を減衰させることができ、且つ振動によるドアパネル４０の騒音を防止することができる。
【００２３】
実施の形態に係る高分子ナノ複合材料は、振動の減衰性能が高いので、従来の減衰シートより薄くすることができる。したがって、自動車のドアパネル４０のように凹凸がある表面にも、減衰シート４２を容易に貼付することが可能である。
【００２４】
（その他の実施の形態）
上記のように、本発明の実施の形態を記載したが、この開示の一部をなす論述及び図面はこの発明を限定するものであると理解すべきではない。この開示から当業者にはさまざまな代替実施の形態、実施例及び運用技術が明らかとなろう。したがって、本発明の技術的範囲は上記の説明から妥当な特許請求の範囲に係わる発明特定事項によってのみ定められるものである。
【産業上の利用可能性】
【００２５】
本発明は、機械構造体において、振動を減衰させる部材として用いることができる。
【符号の説明】
【００２６】
１０  母材
１２  カーボンナノウォール
【図１】
2011052053.tif 000003
【図２】
2011052053.tif 000004
【図３】
2011052053.tif 000005